(57)【要約】本発明は、フラットメタルを製造する装置（１）に関するものである。前記装置（１）は少なくとも２つのローラ（２，３）を有しており、これらのローラは実質的に互いに平行に延びており、これらのローラの回転軸（４）は、重力作用方向（７）に対してほぼ垂直方向に延びる１つの平面（５）内に位置している。
2005505423.tif 000002
【特許請求の範囲】
【請求項１】
フラットメタルを製造する装置（１）において、前記装置（１）は少なくとも２つのローラ（２，３）を有しており、これらのローラは実質的に互いに平行に延びており、これらのローラの回転軸（４）は、重力作用方向（７）に対してほぼ垂直方向に延びる１つの平面（５）内に位置していることを特徴とする装置。
【請求項２】
特に精密送りを介して、特に少なくとも一方のローラ（２）の移動によってローラ（２１）の相互間隔が調節可能であることを特徴とする請求項１に記載の装置。
【請求項３】
特にそれぞれの表面を介しての各ローラの間のトルク伝達に関わりなく、少なくとも２つのローラ（２，３）に駆動トルクが作用可能であることを特徴とする請求項１または２に記載の装置。
【請求項４】
一方のローラ（３）が位置調節可能ではないことを特徴とする請求項１〜３のいずれか１項に記載の装置。
【請求項５】
前記装置が、フラットメタル（１０）を前記装置を通過させて搬送する搬送装置（９）を有していることを特徴とする請求項１〜４のいずれか１項に記載の装置。
【請求項６】
フラットメタル（１０）をローラ（２，３）の間へ引張応力なしに供給する少なくとも１つの装置（１１）が設けられていることを特徴とする請求項５に記載の装置。
【請求項７】
フラットメタル（１０）をローラ（２，３）の間で引張応力なしに取り出す少なくとも１つの装置（１２）が設けられていることを特徴とする請求項５または６に記載の装置。
【請求項８】
フラットメタルを熱処理する装置（１３）において、次の各構成要件、すなわち、
前記装置（１３）はフラットメタルに電流を導入及びフラットメタルから電流を導出する役目をする少なくとも２つの接触部材（１２，１４）を有しており、
前記装置はフラットメタル（１０）に供給される電流の量を制御するための制御装置（１５）を有していることを特徴とする装置。
【請求項９】
前記接触部材（１２，１４）が導電性の表面をもつロールとして構成されており、好ましくは長軸の周りに回転可能に支承されていることを特徴とする請求項８に記載の装置。
【請求項１０】
前記装置（１３）が前記装置を通過するようにフラットメタル（１０）を搬送するための搬送装置（１２，１４）を有していることを特徴とする請求項８または９に記載の装置。
【請求項１１】
フラットメタルを通って流れる電流の量が、フラットメタル（１０）の搬送速度に関わりなく調整可能であることを特徴とする請求項１０に記載の装置。
【請求項１２】
帯状のフラットメタルを巻き取る装置（１６）において、次の各構成要件、すなわち、
前記装置（１６）はフラットメタル（１０）を巻取可能な巻心（１７）を有しており、
前記巻心の回転軸（１８）はフラットメタルの進入方向に対してほぼ垂直であり、
前記巻心は回転軸（１８）に沿って可動に支承されていることを特徴とする装置。
【請求項１３】
前記装置は、巻き取られるフラットメタル（１０）を巻心の所望の巻幅にわたって均等に配分するために、巻取中に巻心（１７）がその回転軸（１８）に沿って往復変位する運動方向を有していることを特徴とする請求項１２に記載の装置。
【請求項１４】
フラットメタルを製造する方法において、フラットメタル（１０）を重力作用方向（７）に対して実質的に平行に２つのローラの間で圧延することを特徴とする方法。
【請求項１５】
フラットメタル（１０）が製造装置を通過するように搬送されることを特徴とする請求項１４に記載の方法。
【請求項１６】
フラットメタル（１０）を引張応力なしにローラ（２，３）の間に供給することを特徴とする請求項１４または１５に記載の方法。
【請求項１７】
フラットメタル（１０）を引張応力なしにローラ（２，３）の間から取り出すことを特徴とする請求項１４〜１６のいずれか１項に記載の方法。
【請求項１８】
フラットメタルを熱処理する方法において、２つの接触部材（１２，１４）を介してフラットメタルの少なくとも一部に電流を印加してフラットメタルを加熱することを特徴とする方法。
【請求項１９】
接触部材（１２，１４）に当りながら製造装置を通過するようにフラットメタルを動かし、それによってフラットメタルを介して接触部材（１２，１４）を回転させることを特徴とする請求項１８に記載の方法。
【請求項２０】
フラットメタルを通って流れる電流の量を、フラットメタル（１０）の搬送速度に関わりなく調整することを特徴とする請求項１９に記載の方法。
【請求項２１】
帯状のフラットメタル（１０）を巻き取る方法において、フラットメタルを巻心（１７）に巻き付け、この巻付けは、巻心がその長軸（１８）の周りに回転することによって行われ、前記巻心は、巻き取られるフラットメタル（１０）を所望の巻幅にわたって均等に配分するために、巻取中にその回転軸に沿って往復変位することを特徴とする方法。
【発明の詳細な説明】
【技術分野】
【０００１】
本発明はフラットメタルを製造する装置に関する。
さらに本発明は請求項１の上位概念に基づく、フラットメタルを圧延する装置に関する。
さらに本発明は請求項８の上位概念に基づく、フラットメタルを熱処理する装置に関する。
さらに本発明は請求項１２の上位概念に基づく、帯状のフラットメタルを巻き取る装置に関する。
さらに本発明は請求項１４の上位概念に基づく、圧延によってフラットメタルを製造する方法に関する。
さらに本発明は請求項１８の上位概念に基づく、フラットメタルを熱処理する方法に関する。
最後に本発明は請求項２１の上位概念に基づく、帯状のフラットメタルを巻き取る方法に関する。
【発明の開示】
【課題を解決するための手段】
【０００２】
請求項１、８および１２の対象物はフラットメタルを製造する装置である。圧延装置により、金属は設定された厚さまで平坦に圧延され、次いでこのフラットメタルに熱処理をする装置で電流と電圧が印加される。このことは、正確に定義されたフラットメタルの強度等級を得ることを可能にする。次いで、巻心を所望のように変位、回転させることによって、熱処理されたフラットメタルベルトが巻心に巻き取られる。
【０００３】
フラットメタルとは、ここでは特に、金属板のベルトや金属フィルムを意味しており、特にロールに巻き付けられた材料を意味している。この場合、特に２０μｍから４００μｍの厚さ範囲が重要である。
請求項１４，１８および２１は本発明による製造方法を定義しており、請求項１，８および１２はこれに対応する製造装置を定義している。その他の有利な実施形態は従属請求項から読み取ることができる。
【発明を実施するための最良の形態】
【０００４】
以下の説明では、本発明の実施形態を述べる。この実施形態は一例にすぎないと解されるべきものであり、図面を参照しながら行う。
図１は、圧延（１）、熱処理（１３）、および巻取（１６）の３つのユニットを備えるフラットメタルの製造装置を示している。
フラットメタル（１０）とは、ここでは特に、金属板のベルトや金属フィルムを意味しており、特にロールに巻き付けられた材料を意味している。この場合、特に２０μｍから４００μｍの厚さ範囲が重要である。
フラットメタル（１０）は圧延装置（１）で、互いに平行に配置された少なくとも２つのローラ（２，３）により、設定された厚さまで圧延される。これらのローラの回転軸（４）は１つの平面内に位置しており、ローラ自体は水平方向に配置されている。
【０００５】
送り、すなわち所望の厚さの設定は、精密ねじ山駆動機構（８）によって正確な案内部（８）を介して行われる。
この精密ねじ山駆動機構（８）を介して、１／１００ｍｍ範囲での送りが保証される。
ローラの下側で水槽（２０）の中にある冷却液は、場合によりエマルジョンとの関連でローラ（２，３）を常に一定の温度に保つことができ、それにより、圧延プロセスの精度に不都合な影響を及ぼす熱膨張が行われないように作用する。
一方のローラ（２）は前述した精密送り（８）によって調節可能であり、他方のローラ（３）は定置のベアリングシートを有している。
対をなすローラの各ローラ（２，３）は、常に両方とも駆動されなくてはならない。
【０００６】
フラットメタル（１０）は引張応力なしに供給され（１１）、取り出される（１２）。
圧延の後、フラットメタルは、導電性の表面で構成された２つのロール（１２，１４）を介して走行する。
フラットメタル（１０）には、これらのロールを介して電流と電圧が印加される。
このような電流と電圧の印加により、フラットメタル（１０）が加熱され、その強度を変化させる。
電流の量は、設備速度に依存して、フラットメタル（１０）が所望の強度等級に準じた一定の強度を得るように制御される。
熱処理の後、フラットメタルは巻心（１７）に巻き取られる。
巻心の回転軸（１８）はフラットメタルの進入方向に対してほぼ垂直である。
転動リング伝動装置（１９）により、巻心はその回転軸に沿って往復移動し、それによって巻心の上でのフラットメタルの変位が保証される。
【図面の簡単な説明】
【０００７】
【図１】圧延、熱処理、および巻取という３つのユニットを備える製造装置を示す図である。
【国際公開パンフレット】
2005505423.tif 000003
2005505423.tif 000004
2005505423.tif 000005
2005505423.tif 000006
2005505423.tif 000007
2005505423.tif 000008
2005505423.tif 000009
【国際公開パンフレット（コレクトバージョン）】
2005505423.tif 000010
2005505423.tif 000011
【国際調査報告】
2005505423.tif 000012
2005505423.tif 000013
2005505423.tif 000014
2005505423.tif 000015
2005505423.tif 000016
2005505423.tif 000017
2005505423.tif 000018
2005505423.tif 000019
2005505423.tif 000020
2005505423.tif 000021